(57)【要約】【課題】密閉型電動圧縮機において電源入力用端子（ガラスターミナルと称す）の接続方式によるターミナルの形状変更を少なくし、１種類の電源端子で２仕様の取り付を可能としてシェルの共用化を行い、生産性の良い密閉型電動圧縮機を提供することを目的とする。【解決手段】タブ付ガラスターミナルを構成する圧力容器６の内側の端子ピン１Ａの長さをタブ１Ｃの取り付け位置を変更せずに延長して、延長方向にピン接続タイプも取付けが可能とした。かかる構成にしたことにより、同じ電源端子でタブ端子挿入とピン挿入の２仕様の接続端子の接続機能を有することになる。これによって、電源端子を取り付けたシェルの共用化が図れる。【選択図】図２
2010038057.tif 000002
【特許請求の範囲】
【請求項１】
密閉型電動圧縮機に電力を供給する電源端子であって、該電源端子は圧縮機の圧力容器を構成する上シェル、胴シェル、下シェルのいずれかに取り付けられており、該電源端子の圧力容器の内側には電動機と接続するために設けられた接続用タブが、それを外部に接続するシェルと絶縁された端子ピンに固定されている前記電源端子において、前記端子ピンを接続用タブの圧力容器壁面からの距離を変えずに延長してある密閉型電動圧縮機。
【請求項２】
電源端子のタブに接続する端子が端子ピン側と反対側にカシメている請求項１記載の密閉型電動圧縮機。
【発明の詳細な説明】
【技術分野】
【０００１】
本発明は空調・冷却機に用いられる密閉型電動圧縮機に関するものである。
【背景技術】
【０００２】
従来この種の密閉型電動圧縮機には、例えば特許文献１のように、取り付け方法の異なる２種類の取り付け形状がある。１つはタブ端子に挿入するもの、もう１つはピンに直接挿入するものである。この場合、おのおのに対して２種類の電源端子を必要とする。
【特許文献１】特開平６―１９６２１３号公報
【発明の開示】
【発明が解決しようとする課題】
【０００３】
しかしながら、前記従来の構成では、電源端子を取り付けたシェルは共用化できないという課題を有していた。本発明は、前記従来の課題を解決するものであり、１種類の電源端子で２仕様の取り付を可能としてシェルの共用化を行い、生産性の良い密閉型電動圧縮機を提供することを目的とする。
【課題を解決するための手段】
【０００４】
前記従来の課題を解決する為に、本発明の電源端子は、該電源端子の端子ピンを、接続用タブの圧力容器壁面からの距離を変えずに延長する様にした。かかる構成にしたことにより、同じ電源端子でタブ端子挿入とピン挿入の２仕様の接続端子の接続機能を有することになる。これによって、電源端子を取り付けたシェルの共用化が図れる。
【発明の効果】
【０００５】
本発明の電源端子は、部品の共用化によって、生産性の良い密閉型電動圧縮機を実現できる。
【発明を実施するための最良の形態】
【０００６】
第１の発明は、密閉型電動圧縮機に電力を供給する電源端子であって、該電源端子は圧縮機の圧力容器を構成する上シェル、胴シェル、下シェルのいずれかに取り付けられており、該電源端子の圧力容器の内側には電動機と接続するために設けられた接続用タブが、それを外部に接続するシェルと絶縁された端子ピンに固定されている前記電源端子において、前記端子ピンを接続用タブの圧力容器壁面からの距離を変えずに延長することにより、同じ電源端子で、２仕様の接続端子の接続機能を有することになり、電源端子を取り付けたシェルの共用化ができる。
【０００７】
第２の発明は、特に第１の発明のタブ付端子への挿入性を改善するためのもので、リード線の接続部のカシメ方向を、タブ端子を取り付けた端子ピンとは逆方向にすることによってリード線の干渉を防ぎ、挿入性を良くすることが出来る。
【０００８】
以下本発明の実施の形態について図面を参照して説明する。なお、この実施例の形態によって本発明が限定されるものではない。
【０００９】
（実施の形態１）
図１は本発明の実施の形態における電源端子を用いた密閉型電動圧縮機のピン挿入タイプの部分断面図を示す。図において、電源用端子１は吐出管７とともに上シェル５に溶着され、固定子３、圧縮機メカ部２を同軸上に固定し、吸入管８を備えた胴シェル４と、軸受けを備えた（図示せず）下シェル６とともに圧力容器を構成している。
【００１０】
図２は、図１の上シェル部分を取り出した斜視図である。図において、前記固定子３から引き出された電源リード線９のリード線接続端子１０は、電源端子１の端子ピン１Ａの接続端子用タブ端子１Ｄの端面より延長された該端子ピン１Ａに挿入される。絶縁材からなるハウジング１１はリード線接続端子１０の位置決め保持絶縁用である。ここで、リード線９は固定子３の巻線に接続されているが省略してある。
【００１１】
図３は電源端子１の詳細図を示し、端子ピン１Ａは内外シールを兼ねた絶縁体１Ｃを介して端子シェル１Ｂに固着され一体化されている。
【００１２】
以上の様に構成された密閉型電動圧縮機の電源端子の作用を説明する。
【００１３】
図より分かるごとく、端子ピン１Ａが接続端子用タブ端子１Ｄの端面より所定の長さ延長されたことにより、該延長部はピン挿入タイプの接続端子に対応可能となる。もちろん、接続端子用タブ端子１Ｄもそのままの位置に固定されているので、従来通りタブ挿入タイプの接続端子の接続も可能となっている。
【００１４】
（実施の形態２）
図４は本発明の実施の形態における電源端子を用いた密閉型電動圧縮機のタブ挿入タイプの部分断面図を示す。端子部とリード線１３以外は図１と同じである。
【００１５】
図５は図２と同様に、図４の上シェル部分を取り出した図である。図において、本発明にかかわるリード線接続端子１２は、電源端子１の端子ピン１Ａに固着された接続端子用タブ端子１Ｄに挿入される。
【００１６】
図６は接続端子用タブ端子の取り付け部の拡大図である。図において、リード線接続端子１２は、接続端子用タブ端子１Ｄが固着された端子ピン１Ａと反対側に線の取り付け部１２Ａが来る様にしてある。
【００１７】
以上のような構成にすることによって、挿入時にリード線が前記端子ピン１Ａと干渉することがなく、挿入性が良くなる。もちろん従来のピン延長品でない電源端子の場合にも使用可能であり、端子間距離が大きくなって絶縁性能が良くなるという効果もある。
【産業上の利用可能性】
【００１８】
本発明によれば、密閉型電動圧縮機の全てに応用可能である。
【図面の簡単な説明】
【００１９】
【図１】本発明の実施の形態１における密閉型電動圧縮機の断面図
【図２】本発明の実施の形態１における上シェル部の斜視図
【図３】本発明の実施の形態１における電源端子の詳細図
【図４】本発明の実施の形態２における密閉型電動圧縮機の断面図
【図５】本発明の実施の形態２における上シェル部の斜視図
【図６】本発明の実施の形態２におけるタブ端子の取り付け部拡大図
【符号の説明】
【００２０】
１  電源端子
１Ａ  端子ピン
１Ｂ  端子シェル
１Ｃ  絶縁体
１Ｄ  接続端子用タブ端子
２  圧縮機メカ部
３  固定子
４  胴シェル
５  上シェル
６  下シェル
７  吐出管
８  吸入管
９、１３  リード線
１０、１２  リード線接続端子
１１  ハウジング
１２Ａ  取り付け部
【図１】
2010038057.tif 000003
【図２】
2010038057.tif 000004
【図３】
2010038057.tif 000005
【図４】
2010038057.tif 000006
【図５】
2010038057.tif 000007
【図６】
2010038057.tif 000008